(57)【要約】【課題】物品を搬送しながら一定姿勢に揃えることができる搬送装置を提供する。【解決手段】搬送装置２は、物品Ｗを上面に載せて搬送する搬送ベルト11を備える搬送手段６を具備する。搬送装置２は、搬送手段６の側方に位置して搬送ベルト11の上面に物品Ｗを投入する投入手段を具備する。搬送ベルト11は、搬送面部21と、この搬送面部21の表面から突出して等間隔で並ぶ複数の仕切突部22とを有する。搬送面部21は、物品Ｗを仕切突部22に当接するまで滑らせて一定姿勢にする傾斜部分25を有する。【選択図】図１
2014136631.tif 000002
【特許請求の範囲】
【請求項１】
物品を上面に載せて搬送する搬送体を備える搬送手段と、
前記搬送体の上面に物品を投入する投入手段とを具備し、
前記搬送体は、
物品を上面に載せて搬送方向に搬送する搬送面部と、
この搬送面部に突設され、前記搬送方向に間隔をおいて位置し、前記搬送方向に互いに隣り合う物品同士を仕切る複数の仕切突部とを有し、
前記搬送面部は、物品を前記仕切突部に当接するまで滑らせてその物品の姿勢を一定姿勢にする傾斜状の傾斜部分を有する
ことを特徴とする搬送装置。
【請求項２】
投入手段は、搬送体の上面のうち物品の特性に応じた位置に物品を投入する
ことを特徴とする請求項１記載の搬送装置。
【請求項３】
投入手段は、物品が重量物である場合にはその重量物を仕切突部に当てないように搬送体の上面に投入し、物品が軽量物である場合にはその軽量物を前記仕切突部に当てるように前記搬送体の上面に投入する
ことを特徴とする請求項１または２記載の搬送装置。
【請求項４】
搬送手段の搬送体の搬送面部は、投入手段から投入される物品を受け取る水平状の水平部分を有し、
投入手段は、物品が重量物である場合にはその重量物を仕切突部に当てないように前記水平部分の上面に投入し、物品が軽量物である場合にはその軽量物を前記仕切突部に当てるように前記水平部分の上面に投入する
ことを特徴とする請求項３記載の搬送装置。
【請求項５】
搬送手段の搬送体の搬送面部の傾斜部分は、搬送方向に向かって上り傾斜する傾斜状である
ことを特徴とする請求項１ないし４のいずれか一記載の搬送装置。
【発明の詳細な説明】
【技術分野】
【０００１】
本発明は、物品を搬送する搬送装置に関するものである。
【背景技術】
【０００２】
従来、例えば特許文献１に記載された搬送装置が知られている。
【０００３】
この従来の搬送装置は、搬送物である物品を上面に載せて搬送する搬送体を備える搬送手段（集積コンベヤ）と、この搬送手段の搬送体の上面に物品を投入する投入手段（合流ライン）とを具備している。
【０００４】
また、搬送手段の搬送体は、物品を上面に載せて搬送方向に搬送する搬送面部と、この搬送面部に突設され搬送方向に間隔をおいて位置し搬送方向に互いに隣り合う物品同士を仕切る複数の桟等の仕切突部とを有している。
【先行技術文献】
【特許文献】
【０００５】
【特許文献１】特開２０１１−３２０２０号公報（図１）
【発明の概要】
【発明が解決しようとする課題】
【０００６】
しかしながら、上記従来の搬送装置では、例えば物品が投入手段から搬送手段の搬送体の搬送面部上へ投入された際に、物品の姿勢が崩れる場合があり、このような場合には、物品はその姿勢が不揃いのまま搬送手段にて搬送されることとなる。
【０００７】
本発明は、このような点に鑑みなされたもので、物品を搬送しながら一定姿勢に揃えることができる搬送装置を提供することを目的とする。
【課題を解決するための手段】
【０００８】
請求項１記載の搬送装置は、物品を上面に載せて搬送する搬送体を備える搬送手段と、前記搬送体の上面に物品を投入する投入手段とを具備し、前記搬送体は、物品を上面に載せて搬送方向に搬送する搬送面部と、この搬送面部に突設され、前記搬送方向に間隔をおいて位置し、前記搬送方向に互いに隣り合う物品同士を仕切る複数の仕切突部とを有し、前記搬送面部は、物品を前記仕切突部に当接するまで滑らせてその物品の姿勢を一定姿勢にする傾斜状の傾斜部分を有するものである。
【０００９】
請求項２記載の搬送装置は、請求項１記載の搬送装置において、投入手段は、搬送体の上面のうち物品の特性に応じた位置に物品を投入するものである。
【００１０】
請求項３記載の搬送装置は、請求項１または２記載の搬送装置において、投入手段は、物品が重量物である場合にはその重量物を仕切突部に当てないように搬送体の上面に投入し、物品が軽量物である場合にはその軽量物を前記仕切突部に当てるように前記搬送体の上面に投入するものである。
【００１１】
請求項４記載の搬送装置は、請求項３記載の搬送装置において、搬送手段の搬送体の搬送面部は、投入手段から投入される物品を受け取る水平状の水平部分を有し、投入手段は、物品が重量物である場合にはその重量物を仕切突部に当てないように前記水平部分の上面に投入し、物品が軽量物である場合にはその軽量物を前記仕切突部に当てるように前記水平部分の上面に投入するものである。
【００１２】
請求項５記載の搬送装置は、請求項１ないし４のいずれか一記載の搬送装置において、搬送手段の搬送体の搬送面部の傾斜部分は、搬送方向に向かって上り傾斜する傾斜状であるものである。
【発明の効果】
【００１３】
本発明によれば、搬送手段の搬送体の搬送面部は、物品を仕切突部に当接するまで滑らせてその物品の姿勢を一定姿勢にする傾斜状の傾斜部分を有するため、物品を搬送しながら一定姿勢に揃えることができる。
【図面の簡単な説明】
【００１４】
【図１】本発明の一実施の形態に係る搬送装置の概略側面図である。
【図２】同上搬送装置の概略平面図である。
【図３】（ａ）および（ｂ）は同上搬送装置にて重量物が搬送される際の説明図である。
【図４】（ａ）および（ｂ）は同上搬送装置にて軽量物が搬送される際の説明図である。
【図５】同上搬送装置の搬送手段の断面図である。
【図６】同上搬送装置の投入手段の部分側面図である。
【図７】同上搬送装置を備えた仕分システムの平面図である。
【発明を実施するための形態】
【００１５】
本発明の一実施の形態について図面を参照して説明する。
【００１６】
図７において、１は仕分設備である仕分システムで、この仕分システム１は、物品Ｗを搬送する搬送装置２と、物品Ｗを仕分情報に基づいて仕分先ごとに仕分ける仕分装置３と、これら搬送装置２および仕分装置３間に配設され搬送装置２からの物品Ｗを搬送して仕分装置３に供給する中継搬送装置４とを備えている。
【００１７】
物品Ｗは、平面視矩形状で、水平方向長さ寸法（幅寸法および長さ寸法）に比べて上下方向長さ寸法（高さ寸法）が短い背低の直方体形状をなすもので、例えば書籍である。そして、仕分対象物（搬送物）である複数の物品Ｗは、大きさが一定ではなく、重量も一定ではない。
【００１８】
搬送装置２は、図１ないし図７に示されるように、物品Ｗを搬送方向（図７では右方向）に搬送する１つの搬送手段６と、物品Ｗを搬送方向（図７では上方向）に搬送して搬送手段６に投入する互いに平行な複数（例えば２つ）の投入手段７とを具備している。各投入手段７は、同一構成のもので、搬送手段６の一側方にこの搬送手段６に対して直交するように配設されている。
【００１９】
搬送手段６は、例えば平面視で直線状をなす１つのベルトコンベヤ（合流コンベヤ）にて構成されている。搬送手段６は、所定方向に回行しながら投入手段７からの物品Ｗを上面に載せて搬送方向に搬送する無端状の搬送体である搬送ベルト11を備えている。
【００２０】
搬送ベルト11は、対をなすローラ支持板12間に架設された１つの駆動ローラ13および複数の従動ローラ14に掛け渡されている。そして、駆動ローラ13が駆動手段である駆動モータ15からの動力で回転すると、搬送ベルト11が所定方向に回行し、この回行により搬送ベルト11上の物品Ｗが搬送方向へ搬送される。
【００２１】
搬送ベルト11の幅方向両端部は、ベルト挟持体16にて上下から移動可能に挟持されている。各ベルト挟持体16は、フレーム17に固定的に取り付けられた断面略コ字状の取付体18に固着されている。
【００２２】
ここで、搬送ベルト11は、物品Ｗを上面に載せて搬送方向に搬送する帯状で無端状の搬送面部21と、この搬送面部21の表面に突設され搬送方向に等間隔をおいて並んで位置し搬送方向に互いに隣り合う物品Ｗ同士をこれら物品Ｗ同士が接触しないように搬送方向前後に仕切る複数の仕切突部（桟等の仕切手段）22とを有している。
【００２３】
各仕切突部22は、搬送面部21の短手方向である幅方向に長手方向に有する長手状をなすもので、搬送面部21の表面に溶着等により固設されている。仕切突部22の長手方向一端部は搬送面部21の幅方向一端部の近傍に位置し、仕切突部22の長手方向他端部は搬送面部21の幅方向他端部の近傍に位置している。搬送面部21の幅方向一端部は一方側の取付体18内に挿入されて一方側のベルト挟持体16にて移動可能に挟持され、搬送面部21の幅方向他端部は他方側の取付体18内に挿入されて他方側のベルト挟持体16にて移動可能に挟持されている。
【００２４】
なお、搬送方向に互いに隣り合う１対の仕切突部22間には、１個の物品Ｗが投入される。換言すると、搬送面部21の上面のうち、互いに隣り合う仕切突部22間に位置する部分には、物品Ｗが１個ずつ投入される。また、互いに隣り合う仕切突部22間の距離Ａは、物品Ｗの幅寸法よりも長く、例えば物品Ｗの幅寸法の２倍以上である。
【００２５】
また、搬送面部21の表面は、滑性を有する平滑面であり、この搬送面部21の表面と物品Ｗとの間の摩擦が比較的小さく、物品Ｗが搬送面部21に対して滑りやすくなっている。
【００２６】
そして、搬送ベルト11の搬送面部21は、図１および図２等から明らかなように、水平状に位置して投入手段７から投入される物品Ｗを受け取る搬送始端側の水平部分23と、この水平部分23よりも高い位置で水平状に位置して物品Ｗを搬送方向下流の中継搬送装置４の搬送始端部に供給する搬送終端側の水平部分24と、これら上下の水平部分23，24の間で搬送手段６の搬送方向に向かって上り傾斜する傾斜状に位置する姿勢修正用の傾斜部分25とを有している。
【００２７】
つまり、搬送面部21は、下側水平部分23、上側水平部分24、およびこれらの間の傾斜部分25を上部である往路面側に有している。そして、この搬送面部21の平面状の傾斜部分25は、その表面である上面において物品Ｗをこの物品Ｗと対向する反搬送方向側の仕切突部22に当接するまで自重で滑らせて、その物品Ｗの姿勢を一定姿勢、すなわち例えば物品Ｗのうち長手方向に沿った一端部（一辺部）が長手状の仕切突部22に当接してこの仕切突部22に沿って位置する姿勢（仕切突部22に対して平行な姿勢）にするものである。
【００２８】
傾斜部分25の下端側は、曲率半径が比較的大きな円弧状となって下側の水平部分23に繋がっており、また同様に、傾斜部分25の上端側は、曲率半径が比較的大きな円弧状となって上側の水平部分24に繋がっている。
【００２９】
なお、傾斜部分25は、水平方向に対して所定の傾斜角度αをもって搬送方向に向かって上り傾斜しており、この傾斜角度αは鋭角であり、例えば３５度〜４０度で、好ましくは略３８度である。
【００３０】
また、図２に示されるように、搬送手段６の搬送始端部には、搬送ベルト11の仕切突部22を検知する光学系の仕切検知手段31が設けられている。搬送手段６の搬送終端部には、駆動ローラ13の回転を検知する光学系の回転検知手段であるエンコーダ32が設けられている。
【００３１】
そして、仕切検知手段31およびエンコーダ32からの検知信号が制御手段33に送信され、この制御手段33はその検知信号に基づいて投入手段７を制御する。すなわち、制御手段33は、搬送ベルト11の仕切突部22の位置を常時把握しながら、物品Ｗの特性（例えば重量）に応じて異なるタイミングで投入手段７に対して投入指令を送信する。
【００３２】
投入手段７は、制御手段33による制御に基づき、物品Ｗの特性（例えば重量）に応じて異なるタイミングで物品Ｗを搬送手段６の搬送ベルト11の搬送面部21の水平部分23の上面の所望位置に順次投入するものである。つまり、投入手段７は、制御手段33による制御に基づき、搬送体11の搬送面部21の水平部分23の上面のうち、物品Ｗの特性に応じた位置に物品Ｗを投入するものである。
【００３３】
投入手段７は、図６および図７等に示されるように、例えば平面視で搬送手段６の搬送方向に対して直交する方向に直線状に並ぶ複数のコンベヤにて構成されている。
【００３４】
具体的には、投入手段７は、搬送始端部に位置し作業者Ｘの手作業によって物品Ｗが上面に投入される始端コンベヤ（投入コンベヤ）41と、搬送終端部に位置し物品Ｗを搬送ベルト11の上面に投入する終端コンベヤ（タイミングコンベヤ）42と、これら両コンベヤ41，42間に位置する複数の中間コンベヤ43とを備えている。
【００３５】
始端コンベヤ41は、複数の物品Ｗが載置される載置台45に近接して配設されており、作業者Ｘは、載置台45上の物品Ｗを１つずつ手で取って始端コンベヤ41の搬送面41aに載せる。
【００３６】
この搬送面41aは、その幅方向一端側から幅方向他端側に向かって下り傾斜する傾斜状に位置している。このため、搬送面41aに載せられた物品Ｗは、始端コンベヤ41の搬送方向（物品Ｗの長手方向）に沿った一端部が当接板（図示せず）に当接した状態となる。その結果、物品Ｗの長手方向に沿った一端部は、投入手段７の幅方向一端側の基準直線Ｌの上を投入手段７の搬送始端部から搬送終端部まで移動する。つまり、基準直線Ｌは、投入手段７の搬送面上における物品Ｗの搬送基準である。
【００３７】
終端コンベヤ42は、図６に示されるように、物品Ｗを上面に載せて搬送する無端状の複数本の丸ベルト46を有している。丸ベルト46は、対をなす板状のコンベヤフレーム47間に架設された１つの駆動ローラ48および複数の従動ローラ49に掛け渡されている。そして、駆動ローラ48が駆動手段である駆動モータ50からの動力で回転すると、丸ベルト46が所定方向に回行し、この回行により丸ベルト46上の物品Ｗが搬送方向へ搬送されて搬送ベルト11の上面に投入される。
【００３８】
終端コンベヤ42の搬送終端部は、搬送ベルト11の搬送面部21の幅方向端部の上方に配設されている。つまり、平面視で、終端コンベヤ42の搬送終端部と搬送ベルト11の搬送面部21の幅方向端部とが重なるようになっており、搬送ベルト11の仕切突部22が終端コンベヤ42の搬送終端部の近接位置を移動する。なお、終端コンベヤ42の搬送終端部の従動ローラ49は、搬送ベルト11の搬送面部21の幅方向端部の上方に位置している。
【００３９】
また、図７に示されるように、複数の中間コンベヤ43のうち、上流端位置の１つがスキャナーコンベヤ51であり、このスキャナーコンベヤ51は架台部52を有している。
【００４０】
架台部52には、物品Ｗに付されたバーコードを読み取り、この読み取った情報を制御手段33に送信する物品検知手段であるバーコードリーダ（図示せず）が設けられている。
【００４１】
また、架台部52には、物品Ｗの高さ寸法（厚さ寸法）、幅寸法（短手方向長さ寸法）および長さ寸法（長手方向長さ寸法）を検知する物品検知手段である光学系のセンサ（光電センサ等）が複数設けられている。
【００４２】
そして、制御手段33は、それらセンサの検知に基づいて物品Ｗの体積を算出し、算出体積が予め設定された設定体積以上である場合には物品Ｗが重量物であると判断し、算出体積がその設定体積未満である場合には物品Ｗが軽量物であると判断する。また、制御手段33は、物品Ｗが重量物であるか軽量物であるかの判断の結果に応じて、投入手段７の終端コンベヤ42による物品Ｗの搬送手段６への投入タイミング（重量物用のタイミングか、軽量物用のタイミングか）を決定する。
【００４３】
なお、高さ寸法検知用のセンサは、例えば上下方向に５ｍｍ間隔で１０個並ぶように設けられている。最上のセンサのみ＋αとして高さ異常を検知している。幅寸法検知用のセンサは、例えば物品Ｗの幅寸法を上下方向の左右２ヶ所で検知するようになっている。長さ分法検知用のセンサは、例えば計測トリガセンサのオンにて前後を上下方向２ヶ所で検知するようになっている。
【００４４】
さらに、図７に示されるように、複数の中間コンベヤ43のうち、搬送方向中央位置付近の１つがリジェクトコンベヤ55であり、このリジェクトコンベヤ55は、搬送始端側の水平軸を中心として搬送終端側が昇降するように上下回動する回動搬送部56を有している。
【００４５】
回動搬送部56は、例えばベルトコンベヤ式のもので、正常な物品Ｗを搬送して下流の中間コンベヤ43に供給する水平状態と、異常な物品ＷであるＮＧ品を斜め下方へ搬送してＮＧ品搬送手段60に供給する傾斜状態との間で、上下回動可能となっている。
【００４６】
なお、リジェクトコンベヤ55にてリジェクトされるＮＧ品は、例えば規格外の大きさのもの、バーコード未読のもの、予定外品等である。このＮＧ品は、ＮＧ品搬送手段60によって、載置台45の付近の位置まで搬送される。
【００４７】
一方、仕分装置３は、物品Ｗを搬送しながら仕分ける搬送仕分部61と、この搬送仕分部61にて仕分けられた物品Ｗを集積する集積部62とを備えている。
【００４８】
また、中継搬送装置４は、搬送手段６の搬送ベルト11の搬送面部21の水平部分24からの物品Ｗを受け取って搬送する直線状の第１搬送部65と、この第１搬送部65からの物品Ｗを受け取って搬送する円弧状の第２搬送部66と、この第２搬送部66からの物品Ｗを受け取って搬送して搬送仕分部61へ供給する第３搬送部67とを備えている。
【００４９】
なお、第１搬送部65は、例えば平面視で搬送方向に対して傾斜状のローラを有するローラコンベヤ等からなり、物品Ｗを搬送しながら一方側に幅寄せするものである。
【００５０】
次に、上記仕分システム１の搬送装置２の作用等を説明する。
【００５１】
図３（ａ）および（ｂ）に示すように、例えば物品Ｗが重量物であり、制御手段33が、搬送手段６に対して次に投入すべき物品Ｗが重量物であると判断した場合には、投入手段７の終端コンベヤ42は、制御手段33による制御に基づき、その重量物を仕切突部22に当てないように搬送ベルト11の搬送面部21の水平部分23の上面の所望位置（搬送方向に互いに隣り合う仕切突部22間の中央位置）に投入する。このため、終端コンベヤ42による投入直後に、重量物である物品Ｗが仕切突部22に衝突することがない。
【００５２】
なお、この投入の際に、物品Ｗは、移動中の搬送面部21から受ける力で若干回動して姿勢が崩れ、例えば仕切突部22に対して斜め姿勢となる。
【００５３】
その後、物品Ｗは、搬送ベルト11の搬送面部21の傾斜部分25の上面上で、反搬送方向側の一端部である一辺部が仕切突部22にこの仕切突部22に沿って当接するまで自重で滑り、その仕切突部22に対して平行な一定姿勢となる。また、互いに隣り合う仕切突部22間の距離Ａがすべて等しいことから、搬送方向に互いに隣り合う物品Ｗ間の距離が一定となる。
【００５４】
次いで、物品Ｗは、一定姿勢のまま、隣り合う物品Ｗとの間の距離を一定に維持しつつ、搬送手段６から中継搬送装置４に搬出され、この中継搬送装置４の第１搬送部65にて一方側に幅寄せされ、その後、仕分装置３へ供給され、この仕分装置３によって仕分先ごとに仕分けられる。
【００５５】
また、図４（ａ）および（ｂ）に示すように、例えば物品Ｗが軽量物であり、制御手段33が、搬送手段６に対して次に投入すべき物品Ｗが軽量物であると判断した場合には、投入手段７の終端コンベヤ42は、制御手段33による制御に基づき、その軽量物を仕切突部22に当てるように搬送ベルト11の搬送面部21の水平部分23の上面の所望位置（反搬送方向側の仕切突部22寄りの位置）に投入する。このため、終端コンベヤ42による投入直後に、軽量物である物品Ｗは反搬送方向側の仕切突部22に当接し、これにより、物品Ｗが移動中の搬送面部21から受ける力で大きく回動することが防止される。
【００５６】
なお、この投入の際に、軽量物である物品Ｗが仕切突部22との当接により姿勢を崩し、例えば仕切突部22に対して斜め姿勢となる場合がある。
【００５７】
しかしこの場合においても、前記重量物と同様、物品Ｗは、搬送ベルト11の搬送面部21の傾斜部分25にて姿勢が修正され、仕切突部22に対して平行な一定姿勢となり、また同時に隣り合う物品Ｗ間の距離が一定となる。
【００５８】
次いで、軽量物である物品Ｗも、前記重量物と同様、一定姿勢のまま、隣り合う物品Ｗとの間の距離を一定に維持しつつ、搬送手段６から中継搬送装置４に搬出され、その後、中継搬送装置４から仕分装置３に供給され、この仕分装置３によって仕分先ごとに仕分けられる。
【００５９】
なお、図３（ａ）における距離ａは、重量物に対する終端コンベヤ42の投入動作開始時における仕切突部22と基準直線Ｌとの間の距離である。図４（ａ）における距離ｂは、軽量物に対する終端コンベヤ42の投入動作開始時における仕切突部22と基準直線Ｌとの間の距離である。物品Ｗの特性、例えば重量に応じて投入タイミングが２種類あり、ａ＞ｂである。
【００６０】
そして、上記搬送装置２によれば、搬送手段６の搬送ベルト11の搬送面部21は、物品Ｗを仕切突部22にこの仕切突部22に沿って当接するまで自重で滑らせて一定姿勢にする傾斜状の傾斜部分25を有するため、物品Ｗを搬送方向に搬送しながら一定姿勢に揃えることができるとともに、その搬送方向に互いに隣り合う物品Ｗ間の距離も一定距離（一定ピッチ）に揃えることができ、よって例えば下流での仕分作業を適切に行うことができる。
【００６１】
また、投入手段７にて搬送中の物品Ｗを検知する物品検知手段であるセンサからの検知信号に基づいて物品Ｗが重量物であるか軽量物であるかを判断してそれに応じた投入タイミングを決定する制御手段33を備えており、投入手段７は、その制御手段33による制御に基づき、物品Ｗが重量物である場合にはその重量物を仕切突部22に当てないように水平部分23の上面に投入するため、投入直後の重量物が仕切突部22に衝突してこの仕切突部22が破損してしまうことを防止できる。
【００６２】
さらに、投入手段７は、制御手段33による制御に基づき、物品Ｗが軽量物である場合にはその軽量物を仕切突部22に当てるように水平部分23の上面に投入するため、投入直後の軽量物が搬送面部21から受ける力で大きく回動、例えば９０度以上回動してしまうことを防止できる。
【００６３】
なお、上記実施の形態では、２つの投入手段７が搬送手段６の側方に配設された構成について説明したが、投入手段７の数は任意であり、例えば１つでも、或いは３つ以上でもよい。
【００６４】
また、搬送手段６の搬送面部21の傾斜部分25は、必ずしも平面状である必要はなく、例えば少し湾曲した曲面状等でもよい。
【００６５】
さらに、投入手段７は、物品特性として物品Ｗの重量に応じて投入タイミングが異なるものには限定されず、例えば物品Ｗの形状や材質等に応じて投入タイミングが異なるもの等でもよい。
【００６６】
また、制御手段33は、センサの検知に基づいて算出体積（物品サイズ）から物品Ｗが重量物であるか軽量物であるかを判断するものには限定されず、例えばバーコードリーダの検知に基づいて物品Ｗを識別して対応する登録商品情報から物品Ｗが重量物であるか軽量物であるかを判断するもの等でもよい。
【００６７】
さらに、例えば投入手段７にて搬送中の物品Ｗの重量を測定する重量測定手段が設けられ、制御手段33がその測定重量が設定重量以上である場合には物品Ｗが重量物であると判断し、その測定重量が設定重量未満である場合には物品Ｗが軽量物であると判断するもの等でもよい。
【００６８】
また、例えば物品Ｗの形状を検知する形状検知手段を投入手段７の架台部52に設けた構成等でもよい。
【００６９】
さらに、搬送手段６の搬送面部21の傾斜部分25は、搬送方向に向かって上り傾斜する傾斜状で物品Ｗをこの物品Ｗよりも反搬送方向側（上流側）の仕切突部22に当接するまで滑らせてその物品Ｗの姿勢を一定姿勢にするものには限定されず、例えば搬送方向に向かって下り傾斜する傾斜状で物品Ｗをこの物品Ｗよりも搬送方向側（下流側）の仕切突部22に当接するまで滑らせてその物品Ｗの姿勢を一定姿勢にするもの等でもよい。
【符号の説明】
【００７０】
２    搬送装置
６    搬送手段
７    投入手段
11    搬送体である搬送ベルト
21    搬送面部
22    仕切突部
23    水平部分
25    傾斜部分
Ｗ    物品
【図１】
2014136631.tif 000003
【図２】
2014136631.tif 000004
【図３】
2014136631.tif 000005
【図４】
2014136631.tif 000006
【図５】
2014136631.tif 000007
【図６】
2014136631.tif 000008
【図７】
2014136631.tif 000009